(57)【要約】【課題】表示装置の低消費電力化を図る。【解決手段】タイミングコントローラは、入力画像データを受信するデータ受信部と、受信した前記入力画像データを出力画像データとして前記複数のソースドライバＩＣに出力するデータ出力部と、表示装置の動作状態を判定する状態判定部と、を含み、前記状態判定部は、前記表示装置が、通常モードにより表示動作を行うべき第１状態であるか、又は、前記通常モードより消費電力が低い低消費電力モードにより表示動作を行うべき第２状態であるかを判定し、前記表示装置が前記第１状態である場合は、前記表示パネルの表示領域の全体に、前記入力画像データに対応する全体画像を表示し、前記表示装置が前記第２状態である場合は、前記表示領域のうち第１領域に、前記入力画像データの一部を用いて第１画像を表示し、前記表示領域のうち前記第１領域を除いた第２領域に、黒色の第２画像を表示する。【選択図】図８
2018159819.tif 000002
【特許請求の範囲】
【請求項１】
タイミングコントローラと、複数のソースドライバＩＣと、複数のゲートドライバＩＣと、複数のソースライン及び複数のゲートラインを含む表示パネルと、を含み、
前記タイミングコントローラは、入力画像データを受信するデータ受信部と、受信した前記入力画像データを出力画像データとして前記複数のソースドライバＩＣに出力するデータ出力部と、表示装置の動作状態を判定する状態判定部と、を含み、
前記状態判定部は、前記表示装置が、通常モードにより表示動作を行うべき第１状態であるか、又は、前記通常モードより消費電力が低い低消費電力モードにより表示動作を行うべき第２状態であるかを判定し、
前記表示装置が前記第１状態である場合は、前記表示パネルの表示領域の全体に、前記入力画像データに対応する全体画像を表示し、
前記表示装置が前記第２状態である場合は、前記表示領域のうち第１領域に、前記入力画像データの一部を用いて第１画像を表示し、前記表示領域のうち前記第１領域を除いた第２領域に、黒色の第２画像を表示する、
ことを特徴とする表示装置。
【請求項２】
前記第１画像は、前記全体画像を縮小した画像である、
ことを特徴とする請求項１に記載の表示装置。
【請求項３】
前記タイミングコントローラは、さらに、前記状態判定部により判定された前記表示装置の動作状態に基づいて、前記複数のソースドライバＩＣ及び前記複数のゲートドライバＩＣを制御する制御信号を生成する制御信号生成部を含み、
前記表示装置が前記第２状態である場合は、
前記複数のソースドライバＩＣのうち少なくとも１つは、前記制御信号に基づいて、前記第２画像に対応する画像データを、前記複数のソースラインのうち前記第２領域に配置された前記ソースラインに出力し、
前記複数のゲートドライバＩＣのうち少なくとも１つは、前記制御信号に基づいて、前記複数のゲートラインのうち前記第２領域に配置された前記ゲートラインを駆動するための動作を停止する、
ことを特徴とする請求項１に記載の表示装置。
【請求項４】
前記表示装置の温度を測定する温度センサをさらに含み、
前記状態判定部は、前記温度センサにより測定された前記表示装置の温度に基づいて、前記表示装置が前記第１状態であるか、又は、前記第２状態であるかを判定し、
前記表示装置の温度が所定の温度未満である場合は、前記状態判定部は、前記表示装置が前記第１状態であると判定し、
前記表示装置の温度が前記所定の温度以上である場合は、前記状態判定部は、前記表示装置が前記第２状態であると判定する、
ことを特徴とする請求項１に記載の表示装置。
【請求項５】
前記第１画像は、前記全体画像から、前記複数のソースラインのうちの所定のソースラインに対応する画像を間引いた間引き画像である、
ことを特徴とする請求項１に記載の表示装置。
【請求項６】
前記複数のソースドライバＩＣは、各フレームの前記第１画像において、正極性の画像データにより表示される領域と、負極性の画像データにより表示される領域とが実質的に同じ面積になるように駆動する、
ことを特徴とする請求項１に記載の表示装置。
【請求項７】
前記複数のソースラインは、交互に配置された第１ソースラインと第２ソースラインとを含み、
前記第１領域は、複数の前記第１ソースラインに接続する画素が配置された領域であり、前記第２領域は、複数の前記第２ソースラインに接続する画素が配置された領域である、
ことを特徴とする請求項１に記載の表示装置。
【請求項８】
第１色画素、第２色画素及び第３色画素がこの順に、前記ゲートラインが延在する第１方向に並んで繰り返し配置され、かつ、前記第１色画素、第２色画素及び第３色画素のそれぞれが、前記ソースラインが延在する第２方向に並んで配置されており、
前記複数のソースドライバＩＣは、前記複数のソースラインに供給する画像データの極性を１本の前記ソースラインごとに反転させる１カラム反転駆動を行い、
前記第１ソースライン及び前記第２ソースラインは、それぞれ、１ライン分の前記第１色画素、１ライン分の前記第２色画素、及び１ライン分の前記第３色画素に対応する３本の前記ソースラインで構成されている、
ことを特徴とする請求項７に記載の表示装置。
【請求項９】
第１色画素、第２色画素及び第３色画素がこの順に、前記ゲートラインが延在する第１方向に並んで繰り返し配置され、かつ、前記第１色画素、第２色画素及び第３色画素のそれぞれが、前記ソースラインが延在する第２方向に並んで配置されており、
前記複数のソースドライバＩＣは、前記複数のソースラインに供給する画像データの極性を１本の前記ソースラインごとに反転させる１カラム反転駆動を行い、
前記第１ソースライン及び前記第２ソースラインは、それぞれ、２ライン分の前記第１色画素、２ライン分の前記第２色画素、及び２ライン分の前記第３色画素に対応する６本の前記ソースラインで構成されている、
ことを特徴とする請求項７に記載の表示装置。
【請求項１０】
前記表示領域において、前記第１領域の位置をｎフレームごとに異ならせる、
ことを特徴とする請求項６に記載の表示装置。
【発明の詳細な説明】
【技術分野】
【０００１】
本発明は、表示装置に関する。
【背景技術】
【０００２】
従来、表示装置において、消費電力を低減する技術が提案されている。例えば特許文献１には、表示パネルの表面温度が高温になると、駆動周波数を低くしたりバックライトの輝度を低くしたりすることによって、液晶表示装置の低消費電力化を図ることが記載されている。
【先行技術文献】
【特許文献】
【０００３】
【特許文献１】特開２００５−９１３８５号公報
【発明の概要】
【発明が解決しようとする課題】
【０００４】
上記技術によれば、従来の液晶表示装置と比較して消費電力を低減することができるが、近年の液晶表示装置において要求されているレベルの低消費電力化を実現することは困難である。
【０００５】
本出願は、上記問題点に鑑みてなされたものであり、その目的は、表示装置の低消費電力化を図ることにある。
【課題を解決するための手段】
【０００６】
上記課題を解決するために、本発明に係る表示装置は、タイミングコントローラと、複数のソースドライバＩＣと、複数のゲートドライバＩＣと、複数のソースライン及び複数のゲートラインを含む表示パネルと、を含み、前記タイミングコントローラは、入力画像データを受信するデータ受信部と、受信した前記入力画像データを出力画像データとして前記複数のソースドライバＩＣに出力するデータ出力部と、表示装置の動作状態を判定する状態判定部と、を含み、前記状態判定部は、前記表示装置が、通常モードにより表示動作を行うべき第１状態であるか、又は、前記通常モードより消費電力が低い低消費電力モードにより表示動作を行うべき第２状態であるかを判定し、前記表示装置が前記第１状態である場合は、前記表示パネルの表示領域の全体に、前記入力画像データに対応する全体画像を表示し、前記表示装置が前記第２状態である場合は、前記表示領域のうち第１領域に、前記入力画像データの一部を用いて第１画像を表示し、前記表示領域のうち前記第１領域を除いた第２領域に、黒色の第２画像を表示する、ことを特徴とする。
【０００７】
本発明に係る表示装置では、前記第１画像は、前記全体画像を縮小した画像でもよい。
【０００８】
本発明に係る表示装置では、前記タイミングコントローラは、さらに、前記状態判定部により判定された前記表示装置の動作状態に基づいて、前記複数のソースドライバＩＣ及び前記複数のゲートドライバＩＣを制御する制御信号を生成する制御信号生成部を含み、前記表示装置が前記第２状態である場合は、前記複数のソースドライバＩＣのうち少なくとも１つは、前記制御信号に基づいて、前記第２画像に対応する画像データを、前記複数のソースラインのうち前記第２領域に配置された前記ソースラインに出力し、前記複数のゲートドライバＩＣのうち少なくとも１つは、前記制御信号に基づいて、前記複数のゲートラインのうち前記第２領域に配置された前記ゲートラインを駆動するための動作を停止してもよい。
【０００９】
本発明に係る表示装置では、前記表示装置の温度を測定する温度センサをさらに含み、前記状態判定部は、前記温度センサにより測定された前記表示装置の温度に基づいて、前記表示装置が前記第１状態であるか、又は、前記第２状態であるかを判定し、前記表示装置の温度が所定の温度未満である場合は、前記状態判定部は、前記表示装置が前記第１状態であると判定し、前記表示装置の温度が前記所定の温度以上である場合は、前記状態判定部は、前記表示装置が前記第２状態であると判定してもよい。
【００１０】
本発明に係る表示装置では、前記第１画像は、前記全体画像から、前記複数のソースラインのうちの所定のソースラインに対応する画像を間引いた間引き画像でもよい。
【００１１】
本発明に係る表示装置では、前記複数のソースドライバＩＣは、各フレームの前記第１画像において、正極性の画像データにより表示される領域と、負極性の画像データにより表示される領域とが実質的に同じ面積になるように駆動してもよい。
【００１２】
本発明に係る表示装置では、前記複数のソースラインは、交互に配置された第１ソースラインと第２ソースラインとを含み、前記第１領域は、複数の前記第１ソースラインに接続する画素が配置された領域であり、前記第２領域は、複数の前記第２ソースラインに接続する画素が配置された領域でもよい。
【００１３】
本発明に係る表示装置では、第１色画素、第２色画素及び第３色画素がこの順に、前記ゲートラインが延在する第１方向に並んで繰り返し配置され、かつ、前記第１色画素、第２色画素及び第３色画素のそれぞれが、前記ソースラインが延在する第２方向に並んで配置されており、前記複数のソースドライバＩＣは、前記複数のソースラインに供給する画像データの極性を１本の前記ソースラインごとに反転させる１カラム反転駆動を行い、前記第１ソースライン及び前記第２ソースラインは、それぞれ、１ライン分の前記第１色画素、１ライン分の前記第２色画素、及び１ライン分の前記第３色画素に対応する３本の前記ソースラインで構成されてもよい。
【００１４】
本発明に係る表示装置では、第１色画素、第２色画素及び第３色画素がこの順に、前記ゲートラインが延在する第１方向に並んで繰り返し配置され、かつ、前記第１色画素、第２色画素及び第３色画素のそれぞれが、前記ソースラインが延在する第２方向に並んで配置されており、前記複数のソースドライバＩＣは、前記複数のソースラインに供給する画像データの極性を１本の前記ソースラインごとに反転させる１カラム反転駆動を行い、前記第１ソースライン及び前記第２ソースラインは、それぞれ、２ライン分の前記第１色画素、２ライン分の前記第２色画素、及び２ライン分の前記第３色画素に対応する６本の前記ソースラインで構成されてもよい。
【００１５】
本発明に係る表示装置では、前記表示領域において、前記第１領域の位置をｎフレームごとに異ならせてもよい。
【発明の効果】
【００１６】
本発明に係る表示装置によれば、低消費電力化を図ることができる。
【図面の簡単な説明】
【００１７】
【図１】実施形態１及び２に係る液晶表示装置の概略構成を示す平面図である。
【図２】実施形態１及び２に係る液晶表示装置の具体的構成を示す平面図である。
【図３】実施形態１及び２に係るゲートドライバの具体的構成を示すブロック図である。
【図４】実施形態１及び２に係るゲートドライバにおける通常モード時の動作を示すタイミングチャートである。
【図５】実施形態１に係る液晶表示装置における低消費電力モード時の構成を示す平面図である。
【図６】実施形態１に係るゲートドライバにおける低消費電力モード時の動作を示すタイミングチャートである。
【図７】実施形態１に係る液晶表示装置における低消費電力モード時の構成を示す平面図である。
【図８】実施形態１に係る液晶表示装置における表示画像の一例を示す図である。
【図９】実施形態２に係る液晶表示装置における表示画像の一例を示す図である。
【図１０】１カラム反転駆動方式における各画素の階調電圧の極性変化を示す図である。
【図１１】実施形態２に係る液晶表示装置における低消費電力モード時の表示画像の一例を示す図である。
【図１２】２カラム反転駆動方式における各画素の階調電圧の極性変化を示す図である。
【図１３】実施形態２に係る液晶表示装置における低消費電力モード時の他の表示画像の一例を示す図である。
【図１４】実施形態２に係る液晶表示装置における低消費電力モード時の他の表示画像の一例を示す図である。
【図１５】実施形態２に係る液晶表示装置における低消費電力モード時の他の表示画像の一例を示す図である。
【図１６】実施形態２に係る液晶表示装置における低消費電力モード時の他の表示画像の一例を示す図である。
【発明を実施するための形態】
【００１８】
本実施形態について、図面を用いて以下に説明する。以下では、液晶表示装置を例に挙げるが、本出願に係る表示装置は、液晶表示装置に限定されるものではなく、例えば有機ＥＬ表示装置等であってもよい。
【００１９】
［実施形態１］
図１は、実施形態１に係る液晶表示装置１０の概略構成を示す図である。液晶表示装置１０は、タイミングコントローラ（ＴＣＯＮ）１００と、ソースドライバ２００と、ゲートドライバ３００と、表示パネル４００と、バックライト５００とを含んでいる。表示パネル４００及びバックライト５００は、周知の構成を適用することができる。
【００２０】
タイミングコントローラ１００は、データ受信部１１０と、転送制御部１２０と、データ出力部１３０と、状態判定部１４０と、制御信号生成部１５０と、制御信号出力部１６０とを含んでいる。
【００２１】
データ受信部１１０は、外部に設けられたシステム（図示せず）から出力された画像データＤＡを受信し、該画像データＤＡを転送制御部１２０に転送する。転送制御部１２０は、データ受信部１１０から受信した画像データＤＡをデータ出力部１３０に転送する。また転送制御部１２０は、状態判定部１４０から判定結果（後述）を受信し、該判定結果に基づいて画像データＤＡをデータ出力部１３０に転送する。データ出力部１３０は、転送制御部１２０から受信した画像データＤＡをソースドライバ２００に出力する。
【００２２】
状態判定部１４０は、液晶表示装置１０を構成する各部の動作状態を監視して液晶表示装置１０の動作状態を判定し、動作モードを指示する指示信号ＳＳ（判定結果）を出力する。例えば、状態判定部１４０は、液晶表示装置１０が通常モードにより表示動作を行うべき状態（第１状態）であるか、又は、低消費電力モードにより表示動作を行うべき状態（第２状態）であるかを判定する。より具体的には例えば、液晶表示装置１０の内部又は外部に設けられた温度センサ６００が、表示パネル４００、各種ドライバ（ソースドライバ２００、ゲートドライバ３００等）、各種電子部品、電源（図２参照）等の温度を測定し、状態判定部１４０が温度センサ６００から測定データを受信する。そして、上記温度が上昇し閾値を超えると、状態判定部１４０は、低消費電力モードにより表示動作を行うべき状態であると判定し、低消費電力モードを指示する指示信号ＳＳを制御信号生成部１５０に出力する。また上記温度が低下し上記閾値以下になると、状態判定部１４０は、通常モードにより表示動作を行うべき状態であると判定し、通常モードを指示する指示信号ＳＳを制御信号生成部１５０に出力する。状態判定部１４０は、例えば、上記温度が閾値以下のときは、通常モードを指示するローレベルの指示信号ＳＳ（Ｌ）を制御信号生成部１５０に出力し、上記温度が閾値を超えているときは、低消費電力モードを指示するハイレベルの指示信号ＳＳ（Ｈ）を制御信号生成部１５０に出力する。図１では、温度センサ６００が、液晶表示装置１０の内部に設けられた例を示している。この場合、温度センサ６００は、例えば表示パネル４００の表面温度を測定し、測定データを状態判定部１４０に送信する。
【００２３】
また、他の例としては、状態判定部１４０が、液晶表示装置１０に搭載されたバッテリの残量を常時監視する。そして、バッテリ残量が低下し閾値以下になると、状態判定部１４０は、低消費電力モードにより表示動作を行うべき状態であると判定し、低消費電力モードを指示するハイレベルの指示信号ＳＳ（Ｈ）を制御信号生成部１５０に出力する。またバッテリ残量が上記閾値を超えているときは、状態判定部１４０は、通常モードにより表示動作を行うべき状態であると判定し、通常モードを指示するローレベルの指示信号ＳＳ（Ｌ）を制御信号生成部１５０に出力する。
【００２４】
制御信号生成部１５０は、状態判定部１４０から指示信号ＳＳ（判定結果）を受信すると、該指示信号ＳＳに基づいて、ソースドライバ２００及びゲートドライバ３００の動作を制御するための制御信号（後述）を生成し、該制御信号を制御信号出力部１６０に転送する。制御信号出力部１６０は、制御信号生成部１５０から受信した制御信号をソースドライバ２００及びゲートドライバ３００に出力する。
【００２５】
図２は、液晶表示装置１０の具体的な構成を示す平面図である。ソースドライバ２００は、複数のソースドライバＩＣで構成されており、ゲートドライバ３００は、複数のゲートドライバＩＣで構成されている。図２では、４個のソースドライバＩＣ（それぞれ、ソースドライバＳＤ１、ソースドライバＳＤ２、ソースドライバＳＤ３、ソースドライバＳＤ４と表す）と、２個のゲートドライバＩＣ（それぞれ、ゲートドライバＧＤ１、ゲートドライバＧＤ２と表す）とを示している。またここでは、表示パネル４００が、解像度ＷＵＸＧＡ（横１９２０×３ドット（ＲＧＢ）＝横５７６０ドット、縦１２００ドット）の構成を有する場合を例に挙げて説明する。この場合、横５７６０ドットに対応してソースラインＳＬが５７６０本配置されており、これを４個のソースドライバＩＣで駆動する場合、１個のソースドライバＩＣは少なくとも１４４０本のソースラインＳＬを駆動する能力を有する。また、縦１２００ドットに対応してゲートラインＧＬが１２００本配置されており、これを２個のゲートドライバＩＣで駆動する場合、１個のゲートドライバＩＣは少なくとも６００本のゲートラインＧＬを駆動する能力を有する。
【００２６】
ゲートドライバＩＣの具体的な構成について、図３及び図４を用いて以下に説明する。図３は、ゲートドライバＩＣ（ＧＤ１，ＧＤ２）の構成を示すブロック図であり、図４は、通常モードにおけるゲートドライバＩＣに入出力される各種信号のタイミングチャートである。図３に示すように、ゲートドライバＧＤ１，ＧＤ２はそれぞれ、シフトレジスタ３１及び電圧セレクタ３２を含んでいる。ＳＴＶ（ＳＴＶＩＮ）はゲートスタートパルスを示し、ＣＰＶはゲートクロックを示し、これらの信号は、制御信号生成部１５０により生成される。
【００２７】
シフトレジスタ３１は、図４に示すように、ゲートスタートパルスＳＴＶの先頭ライン信号ＳＴＶＩＮが入力されると、ゲートクロックＣＰＶの立ち上がりによりラッチし、先頭ラインの出力Ｌ１を「ハイ」にし、次のゲートクロックＣＰＶの立ち上がりにより、出力Ｌ１を「ロー」にするとともに出力Ｌ２を「ハイ」にし、以降、ゲートクロックＣＰＶ毎に、出力Ｌ３から出力Ｌ６００まで順次「ロー」及び「ハイ」を切り替えていく。
【００２８】
電圧セレクタ３２は、シフトレジスタ３１から出力Ｌ１〜Ｌ６００が入力されると、その値Ｌが「ハイ」のときは走査選択電圧（ゲートオン電圧）ＶｇｏｎをゲートラインＧＬ１〜ＧＬ６００に出力し、該値Ｌが「ロー」のときは走査非選択電圧（ゲートオフ電圧）ＶｇｏｆｆをゲートラインＧＬ１〜ＧＬ６００に出力する。この動作により、ゲートオン電圧Ｖｇｏｎが、ゲートラインＧＬ１〜ＧＬ６００に順次出力される。またシフトレジスタ３１の最終ライン出力Ｌ６００は、ゲートドライバＧＤ１からＳＴＶＯＵＴとして出力され、次段のゲートドライバＧＤ２の先頭ライン信号ＳＴＶＩＮとして入力される。次段のゲートドライバＧＤ２は、前段のゲートドライバＧＤ１からＳＴＶＯＵＴが入力されると、次のゲートクロックＣＰＶの立ち上がりにより順次ラッチしていき、ゲートラインＧＬ６０１（ゲートドライバＧＤ２のゲートラインＧＬ１に相当）〜ＧＬ１２００（ゲートドライバＧＤ２のゲートラインＧＬ６００に相当）に対して、ゲートオン電圧Ｖｇｏｎを順次出力していく。ゲートドライバ３００は、以上の動作により、例えば１２００本のゲートラインＧＬを順次駆動する。
【００２９】
ソースドライバＳＤ１、ソースドライバＳＤ２、ソースドライバＳＤ３、及びソースドライバＳＤ４には、それぞれ、タイミングコントローラ１００のデータ出力部１３０から画像データＤＡが入力され、タイミングコントローラ１００の制御信号出力部１６０からデータクロックＤＣＫ、ラッチパルスＬＰ、及び反転信号ＰＯＬ（極性制御信号）等の制御信号が入力される。各ソースドライバＩＣは、上記制御信号に基づいて画像データＤＡに応じた階調電圧Ｄａを選択し、該階調電圧Ｄａ（画像データ）を、対応するソースラインＳＬに出力する。
【００３０】
上記ゲートドライバ３００及びソースドライバ２００の動作により、所望の画像が表示パネル４００に表示される。
【００３１】
ここで、状態判定部１４０が、液晶表示装置１０が低消費電力モードにより表示動作を行うべき状態であると判定した場合のゲートドライバ３００の動作について説明する。例えば、表示パネル４００の温度が上昇して閾値を超えた場合、ゲートドライバ３００は以下の動作を実行する。
【００３２】
状態判定部１４０は、低消費電力モードを指示するハイレベルの指示信号ＳＳ（Ｈ）を制御信号生成部１５０に出力する。制御信号生成部１５０は、状態判定部１４０から指示信号ＳＳ（Ｈ）を受信すると、ゲートドライバＧＤ１に動作停止信号ＳＴを出力する（図５参照）。ゲートドライバＧＤ１は、動作停止信号ＳＴを受信すると、ゲートドライバＧＤ２に対するＳＴＶＯＵＴの出力動作を停止する（図５の「×」印）。これにより、ゲートドライバＧＤ２には先頭ライン信号ＳＴＶＩＮが入力されないため、ゲートドライバＧＤ２は、シフト動作（スキャン動作）を停止する。尚、この場合、ゲートドライバＧＤ２は、ゲートラインＧＬ６０１〜ＧＬ１２００に常時、ゲートオフ電圧Ｖｇｏｆｆを出力されることになり、表示を確立させるためのゲートオン電圧Ｖｇｏｎが出力されないため、所望の画像表示が行われず、結果として黒表示として視認される。する。また、ゲートドライバＧＤ１は、制御信号生成部１５０が状態判定部１４０から通常モードを指示するローレベルの指示信号ＳＳ（Ｌ）を受信するまで、ＳＴＶＯＵＴの出力動作を停止する。これにより、ゲートドライバＧＤ２のシフト動作を停止させることができるため、ゲートドライバ３００の消費電力を低減することができる。
【００３３】
ゲートドライバ３００は、上記動作に限定されず以下のように動作してもよい。例えば、各ゲートドライバＩＣに機能を有効にするためのイネーブル信号（制御信号）がタイミングコントローラ１００から入力される構成である場合は、制御信号生成部１５０は、状態判定部１４０から指示信号ＳＳ（Ｈ）を受信すると、ゲートドライバＧＤ２へのイネーブル信号の出力動作を停止する。これにより、ゲートドライバＧＤ２にはイネーブル信号が入力されないため、ゲートドライバＧＤ２は、機能が無効になりシフト動作を停止する。尚、この場合、ゲートドライバＧＤ２は、ゲートラインＧＬ６０１〜ＧＬ１２００にゲートオフ電圧Ｖｇｏｆｆを出力する。
【００３４】
またゲートドライバ３００は以下のように動作してもよい。例えば、制御信号生成部１５０は、状態判定部１４０から指示信号ＳＳ（Ｈ）を受信すると、ゲートドライバＧＤ２に動作停止信号ＳＴを出力する。ゲートドライバＧＤ２は、動作停止信号ＳＴを受信すると、電源から出力されたゲートオン電圧Ｖｇｏｎの入力動作を停止する。この場合、ゲートドライバＧＤ２は、シフト動作を停止してゲートラインＧＬ６０１〜ＧＬ１２００にゲートオフ電圧Ｖｇｏｆｆを出力してもよいし、シフト動作を行ってゲートラインＧＬ６０１〜ＧＬ１２００にゲートオフ電圧Ｖｇｏｆｆを出力してもよい。
【００３５】
さらにゲートドライバ３００は以下のように動作してもよい。例えば、制御信号生成部１５０は、状態判定部１４０から指示信号ＳＳ（Ｈ）を受信すると、ゲートクロックＣＰＶの周期を２倍に設定する。図６は、図４のタイミングチャートに対してゲートクロックＣＰＶの周期を２倍に設定した場合のタイミングチャートである。ゲートクロックＣＰＶの周期が２倍になると、ゲートラインＧＬ１〜ＧＬ６００の書き込み時間が２倍になり、ゲートラインＧＬ１〜ＧＬ６００のみ動作（スキャン）され、ゲートラインＧＬ６０１〜ＧＬ１２００の動作（スキャン）が停止する。
【００３６】
ゲートドライバ３００は、例えば表示パネル４００が高温になると、上述した低消費電力モードの動作を実行する。これにより、ゲートドライバ３００の消費電力を低減することができる。
【００３７】
次に、状態判定部１４０が、液晶表示装置１０が低消費電力モードにより表示動作を行うべき状態であると判定した場合のソースドライバ２００の動作について説明する。例えば、表示パネル４００の温度が上昇して閾値を超えた場合、ソースドライバ２００は以下の動作を実行する。
【００３８】
状態判定部１４０は、低消費電力モードを指示するハイレベルの指示信号ＳＳ（Ｈ）を転送制御部１２０に出力する。転送制御部１２０は、状態判定部１４０から指示信号ＳＳ（Ｈ）を受信すると、ソースドライバＳＤ１，ＳＤ２に画像データＤＡが入力され、ソースドライバＳＤ３，ＳＤ４に黒表示を意味する“ローデータ”が入力されるように制御する。具体的には、図７に示すように、画像データＤＡの伝送ラインにおいて、ソースドライバＳＤ３，ＳＤ４に分岐される箇所（図中「×」印）を電気的に切断し、黒表示を意味する“ローデータ”を入力させる。例えば、上記伝送ラインの分岐点（ここではソースドライバＳＤ２，ＳＤ３の分岐点）にスイッチを設け、転送制御部１２０が該スイッチをオフする制御信号を該スイッチに送信すると黒表示を意味する“ローデータ”を入力させるように動作する。これにより、ソースドライバＳＤ３，ＳＤ４に接続されたソースラインＳＬには、画像データＤＡ（この場合は黒データ）に応じた階調電圧Ｄａが供給され、表示は黒表示となる。
【００３９】
ソースドライバ２００は、上記動作に限定されず以下のように動作してもよい。例えば、各ソースドライバＩＣのそれぞれに、タイミングコントローラ１００から別個に画像データＤＡが入力される構成（Point to Point方式）の場合は、転送制御部１２０は、状態判定部１４０から指示信号ＳＳ（Ｈ）を受信すると、ソースドライバＳＤ３，ＳＤ４に対する画像データＤＡを、黒表示を意味する“ローデータ”に固定させ、黒表示を実行させる。一方、ソースドライバＳＤ１，ＳＤ２は画像データＤＡに応じた表示を実行させる。
【００４０】
これにより、表示領域のうち、ソースドライバＳＤ３，ＳＤ４に接続されたソースラインＳＬが配置された領域には、黒画像が表示される。ここで、低消費電力モードにおいて、スキャン動作が停止するゲートドライバＧＤ２に接続されたゲートラインＧＬが配置された領域においても黒画像が表示されるように、例えば、スキャン動作を停止する直前に、上記領域の画素に黒電圧を書き込むことが好ましい。これにより、ソースドライバＳＤ３，ＳＤ４により駆動する領域（右側領域）と、ゲートドライバＧＤ２により駆動する領域（下側領域）とに、黒画像を表示させることができる。
【００４１】
またこのとき、表示パネル４００は、画像データＤＡに対応する全画面の画像（全画像）を、表示領域のうち、ソースドライバＳＤ１，ＳＤ２及びゲートドライバＧＤ１により駆動する領域に縮小して表示することが好ましい。図８（ａ）は、通常モードにおける画像表示の一例を示し、図８（ｂ）は、低消費電力モードにおける画像表示（縮小表示）の一例を示している。
【００４２】
全画像を縮小表示させる方法は以下の方法を適用することができる。例えば、各ソースドライバＩＣが、２画素分の画像データＤＡ（奇数データＤＡｏ、偶数データＤＡｅ）が１データクロックＤＣＫに同期して入力される構成（２ドット／クロック仕様）である場合は、転送制御部１２０は、状態判定部１４０から指示信号ＳＳ（Ｈ）を受信すると、奇数データＤＡｏ及び偶数データＤＡｅの何れか一方を、ソースドライバＳＤ１，ＳＤ２に出力する。そして、ソースドライバＳＤ１，ＳＤ２は、１ドット／クロック仕様に変更して、奇数データＤＡｏ及び偶数データＤＡｅの何れか一方により、各ソースラインＳＬ（奇数ライン及び偶数ライン）に階調電圧Ｄａを出力する。これにより、元の画像データＤＡの半分のデータ量によって全画像を縮小表示することができる。
【００４３】
また例えば、各ソースドライバＩＣが、１画素分の画像データＤＡが１データクロックＤＣＫに同期して入力される構成（１ドット／クロック仕様）である場合は、転送制御部１２０は、状態判定部１４０から指示信号ＳＳ（Ｈ）を受信すると、データ転送周期を２倍に設定する。ソースドライバＳＤ１，ＳＤ２は、通常モードより２倍の周期で画像データＤＡを受信して、各ソースラインＳＬに階調電圧Ｄａを出力する。これにより、元の画像データＤＡの半分のデータ量によって全画像を縮小表示することができる。
【００４４】
ソースドライバ２００は、例えば表示パネル４００が高温になると、上述した低消費電力モードの動作を実行する。これにより、ソースドライバ２００の消費電力を低減することができる。
【００４５】
また上記の方法によれば、タイミングコントローラ１００において縮小画像を生成する必要がないため、例えば縮小画像を生成するためのフレームメモリが不要になる。よって、液晶表示装置１０の構成を複雑化させることなく、簡易な構成により縮小画像を用いた低消費電力モードによる表示動作を実現することできる。尚、液晶表示装置１０は、既存のフレームメモリを使用して、タイミングコントローラ１００において縮小画像を生成する構成としてもよい。またこの場合は、表示サイズに応じてフレームレートを調整してもよい。
【００４６】
また動作モードが低消費電力モードに移行した場合は、バックライト５００（図１参照）を部分的に停止させてもよい。例えば、バックライト５００が表示パネル４００の上下に２個所配置されている場合は、黒画像表示の領域に近い方（図８では下側）のバックライト５００を停止する。また例えば、バックライト５００が表示パネル４００の左右に２個所配置されている場合は、黒画像表示の領域に近い方（図８では右側）のバックライト５００を停止する。さらに例えば、バックライト５００を構成する複数の光源が表示パネル４００の直下に配置されている場合は、黒画像表示の領域の直下に配置される光源を停止する。上記各構成により、バックライト５００の消費電力を低減することができる。
【００４７】
また上記各構成において、低消費電力モードのときに警告表示を行ってもよい。例えば、タイミングコントローラ１００にフレームメモリを設け、低消費電力モードのときに、フレームメモリに記憶された警告表示に対応する画像（メモリ画像）を、黒画像を表示する領域の一部に表示させてもよい。
【００４８】
また上記各構成において、表示領域における、縮小画像を表示する領域の位置を、所定の周期（例えばｎフレームごと（ｎは１以上の整数））で異ならせてもよい。具体的には例えば、低消費電力モードにおいて、第１フレームでは、縮小画像を左上の領域（図８（ｂ））に表示させ、第２フレームでは、ソースドライバＳＤ２，ＳＤ３とゲートドライバＧＤ１とを駆動して、表示領域のうち中央（左右方向）の上側の領域に縮小画像を表示させてもよい。
【００４９】
また上記各構成では、ゲートドライバＩＣを２個備えた構成について説明したが、これに限らずＮ個備えた場合についても同様に考えることができる。このとき、停止させる個数は１からＮ−１個まで設定することが可能であり、低消費電力モードに応じて段階的に停止する個数を設定することも可能である。
【００５０】
また上記各構成では、ソースドライバＩＣを４個備えた場合について説明したが、これに限らずＭ個備えた場合についても同様に考えることができる。このとき、停止させる個数は１からＭ−１個まで設定することが可能であり、低消費電力モードに応じて段階的に停止する個数を設定することも可能である。
【００５１】
［実施形態２］
本発明の実施形態２について、図面を用いて以下に説明する。なお、説明の便宜上、実施形態１において示した構成要素と構成要素には同一の符号を付し、その説明を省略する。また、実施形態１において定義した用語については特に断らない限り本実施形態においてもその定義に則って用いるものとする。なお、後述の各実施形態についても同様である。
【００５２】
上記実施形態１に係る液晶表示装置１０は、低消費電力モードにおいて、表示領域の一部に全体画像を縮小した縮小画像を表示させ、残りの領域に黒画像を表示させる構成である。これに対して、実施形態２に係る液晶表示装置１０は、低消費電力モードにおいて、表示領域の全体に、全体画像のうち所定のソースラインＳＬに対応する画像を間引いて表示させる構成である。以下、実施形態２に係る液晶表示装置１０の具体的な構成について説明する。尚、実施形態２に係る液晶表示装置１０では、ゲートドライバ３００は、通常モード及び低消費電力モードで同一の動作を行う。
【００５３】
例えば表示パネル４００の温度が上昇して閾値を超えた場合、状態判定部１４０は、液晶表示装置１０が低消費電力モードにより表示動作を行うべき状態であると判定し、液晶表示装置１０は以下の動作を実行する。状態判定部１４０は、低消費電力モードを指示するハイレベルの指示信号ＳＳ（Ｈ）を転送制御部１２０に出力する。転送制御部１２０は、状態判定部１４０から指示信号ＳＳ（Ｈ）を受信すると、例えば偶数ライン（偶数番目）のソースラインＳＬに対応する画像データＤＡを間引いて、奇数ライン（奇数番目）のソースラインＳＬに対応する画像データＤＡのみをソースドライバ２００に出力する。また転送制御部１２０は、画像データＤＡを間引くライン（ここでは偶数ライン）に対して、黒色に対応する画像データＤＡをソースドライバ２００に出力する。ソースドライバ２００は、偶数ラインのソースラインＳＬに黒色に対応する画像データＤａ（階調電圧Ｄａ）（黒電圧）を出力する。
【００５４】
これにより、表示領域のうち、偶数ラインのソースラインＳＬが配置された領域には、黒画像が表示される。図９（ａ）は、通常モードにおける画像表示の一例を示し、図９（ｂ）は、低消費電力モードにおける画像表示（間引き画像表示）の一例を示している。
【００５５】
上記構成によれば、黒色に対応する画像データＤａが供給されるソースラインＳＬの充放電回数を低減することができ、また、該ソースラインＳＬに接続されるアナログ回路（ＤＡ変換回路、電圧アンプ回路等）に供給される定電流を停止させることができるため、ソースドライバ２００の消費電力を低減することができる。尚、上記構成では、ソースドライバ２００及びゲートドライバ３００は、周知の構成を適用することができる。
【００５６】
画像データＤＡを間引くラインの場所は、奇数ライン又は偶数ラインに限定されず、複数ラインおきに１ライン分又は複数ライン分を間引いてもよい。また、画像データＤＡのうち間引く画像データＤＡの量は限定されず、例えば、表示パネル４００の温度が１０％上昇した場合は、画像データＤＡのデータ量のうち１０％に相当するデータ量の画像データＤＡを間引いてもよい。また、ｎフレームごとに、画像データＤＡを間引くラインの場所を変更してもよい。
【００５７】
上記構成では、タイミングコントローラ１００が、画像データＤＡの間引き動作を行っている。実施形態２に係る液晶表示装置１０は、上記構成に限定されず、例えば、ソースドライバ２００が、画像データＤＡの間引き動作を行ってもよい。具体的には、転送制御部１２０は、通常モードと同様に全ライン分の画像データＤＡをソースドライバ２００に出力する。制御信号生成部１５０は、状態判定部１４０から指示信号ＳＳ（Ｈ）を受信すると、ソースドライバ２００に、画像データＤＡの間引き動作を指示する制御信号を出力する。ソースドライバ２００は、タイミングコントローラ１００から上記制御信号を受信すると、例えば偶数ラインのソースラインＳＬに対応する画像データＤＡを間引いて、奇数ラインのソースラインＳＬに対応する画像データＤＡに基づいて階調電圧Ｄａを決定し、該階調電圧Ｄａを奇数ラインのソースラインＳＬに出力する。またソースドライバ２００は、偶数ラインのソースラインＳＬに黒色に対応する階調電圧Ｄａを出力する。尚、タイミングコントローラ１００は、ソースドライバ２００に内蔵されていてもよい。
【００５８】
ここで、ソースラインＳＬに供給する画像データＤａ（階調電圧Ｄａ）の極性を考慮した場合、液晶表示装置１０を以下の構成とすることが好ましい。
【００５９】
図１０は、カラム反転駆動方式（列ライン反転駆動方式）における各画素の階調電圧Ｄａの極性変化を示す図である。図１０（ａ）は、第１フレームにおける各画素の階調電圧Ｄａの極性を示し、図１０（ｂ）は、第１フレームに続く第２フレームにおける各画素の階調電圧Ｄａの極性を示している。例えば、階調電圧Ｄａの極性を１本のソースラインＳＬごと（１カラムごと）に反転させるカラム反転駆動方式（１カラム反転駆動方式）において、偶数ラインのソースラインＳＬに対応する画像データＤＡを間引いて、奇数ラインのソースラインＳＬに対応する画像データＤＡにより画像を表示させた場合、表示画像は、第１フレームでは図１１（ａ）に示すように全体が正極性（＋）の画像となり、続く第２フレームでは図１１（ｂ）に示すように全体が負極性（−）の画像となる。このため、フリッカが生じ易くなる。
【００６０】
そこで、例えば図１２に示すように、階調電圧Ｄａの極性を２本のソースラインＳＬごと（２カラムごと）に反転させる２カラム反転駆動方式とすることが好ましい。これにより、図１３に示すように、各フレームの階調電圧Ｄａの極性が正極性又は負極性に偏らなくなるため、フリッカを抑えることができる。このように、各ソースドライバＩＣは、各フレームの画像において、正極性の画像データにより表示される領域と、負極性の画像データにより表示される領域とが実質的に同じ面積割合になるように駆動することが好ましい。
【００６１】
また、実施形態２に係る液晶表示装置１０は、１カラム反転駆動（図１０参照）を行う場合、２ラインおきに１ライン分を間引く構成としてもよい。これにより、図１４に示すように、各フレームの階調電圧Ｄａの極性が正極性又は負極性に偏らなくなるため、フリッカを抑えることができる。
【００６２】
また、実施形態２に係る液晶表示装置１０は、１カラム反転駆動（図１０参照）を行う場合であって、表示パネル４００が、例えば赤色画素（Ｒ画素）、緑色画素（Ｇ画素）及び青色画素（Ｂ画素）を含み、同一色の画素が列方向（ソースラインＳＬの延在方向）に並んで配置される構成を有する場合は、３ライン（Ｒ画素ライン、Ｇ画素ライン、Ｂ画素ライン）おきに３ライン分を間引く構成としてもよい。これにより、図１５に示すように、各色画素の表示割合が偏らなくなるため、色味のばらつきを抑えることができる。尚、この構成では、第１フレームでは図１５（ａ）に示すように相対的に正極性に偏った画像となり、続く第２フレームでは図１５（ｂ）に示すように相対的に負極性に偏った画像となる。そこで、実施形態２に係る液晶表示装置１０は、６ラインおきに６ライン分を間引く構成としてもよい。この構成によれば、図１６に示すように、各フレームの階調電圧Ｄａの極性が正極性又は負極性に偏らなくなるため、フリッカを抑えることができる。
【００６３】
また上記各構成では、各フレームにおいて同一のソースラインＳＬに対応する画像データＤＡを間引く構成であるが、実施形態２に係る液晶表示装置１０はこれに限定されず、間引くラインを所定の周期（例えばｎフレームごと）で異ならせてもよい。例えば、第１フレーム（奇数フレーム）では偶数ラインのソースラインＳＬに対応する画像データＤＡを間引き、第２フレーム（偶数フレーム）では奇数ラインのソースラインＳＬに対応する画像データＤＡを間引く構成としてもよい。
【００６４】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００６５】
１０  液晶表示装置、１００  タイミングコントローラ（ＴＣＯＮ）、１１０  データ受信部、１２０  転送制御部、１３０  データ出力部、１４０  状態判定部、１５０  制御信号生成部、１６０  制御信号出力部、２００  ソースドライバ、３００  ゲートドライバ、３１  シフトレジスタ、３２  電圧セレクタ、ＳＤ１〜ＳＤ４  ソースドライバＩＣ、ＧＤ１，ＧＤ２  ゲートドライバＩＣ、４００  表示パネル、５００  バックライト、６００  温度センサ。
【図１】
2018159819.tif 000003
【図２】
2018159819.tif 000004
【図３】
2018159819.tif 000005
【図４】
2018159819.tif 000006
【図５】
2018159819.tif 000007
【図６】
2018159819.tif 000008
【図７】
2018159819.tif 000009
【図８】
2018159819.tif 000010
【図９】
2018159819.tif 000011
【図１０】
2018159819.tif 000012
【図１１】
2018159819.tif 000013
【図１２】
2018159819.tif 000014
【図１３】
2018159819.tif 000015
【図１４】
2018159819.tif 000016
【図１５】
2018159819.tif 000017
【図１６】
2018159819.tif 000018